(57)【要約】【課題】オンラインを基盤として個人化及び事業化への適用が可能なチャンネル、ライブ、ビデオオンデマンドなどのメディアポータルツールを駆逐してワン−ストップでインターネットを通じて個人放送局を提供する個人動画放送システム及びサービス方法を提供する。【解決手段】ウェブサイトに接続して個人動画放送及びビデオオンデマンドを実時間で視聴するための使用者放送端末と；使用者端末と連動する有無線インターネットと；前記インターネットと連動して、ウェブサイトのウェブページを通じて個人動画放送、チャンネル及びビデオオンデマンド情報を実時間で提供するウェブサーバーと；前記ウェブサーバーと連動して実時間放送及びビデオオンデマンド情報を端末の環境フォーマットに変換して提供するメディアサーバーと；前記メディアサーバーと連動して実時間エンコーディングあるいは実時間で放送を選択して各種情報を伝送するための個人用放送端末と；前記放送端末と連結して動画を撮影するための映像器機とを含む。【選択図】図１
2007043695.tif 000002
【特許請求の範囲】
【請求項１】
ウェブサイトに接続して個人動画放送及びビデオオンデマンド（ＶＯＤ）を実時間で視聴するための使用者視聴端末と；
使用者視聴端末と連動する有無線インターネットと；
前記インターネットと連動して、ウェブサイトのウェブページを通じて個人動画放送、チャンネル及びビデオオンデマンド（ＶＯＤ）情報を実時間で提供するウェブサーバーと；
前記ウェブサーバーと連動して実時間放送（ＬＩＶＥ）及びビデオオンデマンド（ＶＯＤ）情報を端末の環境フォーマットに変換して提供するメディアサーバーと；
前記メディアサーバーと連動して実時間エンコーディングあるいは実時間で放送を選択して各種情報を伝送するための使用者放送端末と；
前記放送端末と連結して動画を撮影するための映像器機と；
を含むことを特徴とする、個人動画放送システム。
【請求項２】
前記使用者視聴端末は、ノートブック、ＰＣ、個人携帯情報端末（ＰＤＡ）、ＭＰ３プレーヤー、携帯電話など、インターネット接続が可能な通信端末を含むことを特徴とする、請求項１に記載の個人動画放送システム。
【請求項３】
前記メディアサーバーは、動画コーデックに連動して基本動画フォーマットを提供するためのプロトコルに基づくことを特徴とする、請求項１に記載の個人動画放送システム。
【請求項４】
前記チャンネルは、個人動画ＴＶブログサービス及びＢＩＺ型ブランドチャンネルサービスを提供することを特徴とする、請求項１に記載の個人動画放送システム。
【請求項５】
前記実時間放送（ＬＩＶＥ）は、個人放送コミュニケーションサービス、ＴＶ中継、ライブ中継、及び１人放送サービスを提供することを特徴とする、請求項１に記載の個人動画放送システム。
【請求項６】
前記ビデオオンデマンド（ＶＯＤ）は、ＢＩＺ型ＶＯＤストリーミングサービス、音楽、映画、アダルト、アニメなどの提携サービスを提供することを特徴とする、請求項１に記載の個人動画放送システム。
【請求項７】
インターネットに接続した使用者端末を利用して個人動画放送サイトに無料で会員加入する段階と；
ログイン（Ｌｏｇｉｎ）及び会員認証過程を経って会員として認証される場合、インターネット放送空間である自分だけのチャンネルに移動する段階と；
前記自分のチャンネルに移動した後、ライブ（Ｌｉｖｅ）放送を選択する段階と；
前記ライブ放送選択後、放送用プログラムの組み込み有無を確認する段階と；
前記確認結果、放送用プログラムが組み込まれている場合、ビデオ／オーディオキャプチャー装置を自動に検索してビデオ／オーディオキャプチャー装置を選択する段階と；
前記選択後、題目、画質、視聴等級、リンクなどの放送基本情報を入力して放送装置準備を完了する段階と；
前記放送装置準備が完了した後、放送用固有ＵＲＬを生成しメディアサーバーに接続することで、実時間映像圧縮データ伝送によって放送を開始する段階と；
を含むことを特徴とする、個人動画放送サービス方法。
【請求項８】
前記会員加入すれば、会員固有のチャンネル（個人インターネット放送空間及びチャンネル固有番号）が自動に生成されることを特徴とする、請求項７に記載の個人動画放送サービス方法。
【請求項９】
前記実時間映像圧縮データ伝送は、伝送制御プロトコル基盤の多重経路ストリームデータ伝送方式を用いることを特徴とする、請求項７に記載の個人動画放送サービス方法。
【請求項１０】
実時間ビデオオンデマンド（ＶＯＤ）エンコーディング／再生過程を具現するための個人動画放送サービス方法において、
インターネットに接続した使用者端末を利用して個人動画放送サイトに無料で会員加入する段階と；
ログイン（Ｌｏｇｉｎ）及び会員認証の過程を経って会員として認証される場合、インターネット放送空間である自分だけのチャンネルに移動する段階と；
前記自分のチャンネルに移動した後、放送プログラムを選択して動画情報をアップロード（Ｕｐｌｏａｄ）する段階と；
前記アップロードプログラムの組み込み有無を確認し、プログラムが組み込まれている場合、ＰＣファイル探索器の動画を選択する段階と；
前記動画コーデック組み込み有無を検索するが動画コーデックが組み込まれていない場合、コーデックダウンロード及び組み込み案内を受け、前記動画コーデックが組み込まれている場合、動画エンコーディング過程及びメディアサーバーに接続する段階と；
前記動画のアップロードを完了した後、題目、内容、視聴等級、価格などの放送基本情報を入力して登録を確認する段階と；
前記登録が完了した後、放送用固有ＵＲＬを生成し、メディアサーバーに接続して実時間動画再生を開始する段階と；
を含むことを特徴とする、個人動画放送サービス方法。
【請求項１１】
前記会員加入すれば、会員固有のチャンネル（個人インターネット放送空間及びチャンネル固有番号）が自動に生成されることを特徴とする、請求項１０に記載の個人動画放送サービス方法。
【発明の詳細な説明】
【技術分野】
【０００１】
本発明はインターネットを利用した個人動画放送システム及びサービス方法に係り、より詳しくは、オンラインを基盤として個人化及び事業化適用が可能なチャンネル（Ｃｈａｎｎｅｌ）、ライブ（Ｌｉｖｅ）、ビデオオンデマンド（Ｖｉｄｅｏ  Ｏｎ  Ｄｅｍａｎｄ；ＶＯＤ）などのメディアポータルツール（Ｔｏｏｌ）を駆逐してワン−ストップ（ｏｎｅ−ｓｔｏｐ）でインターネットを通じて個人動画放送を提供することができる技術に関するものである。
【背景技術】
【０００２】
専門的な業者ではない個人使用者の音楽放送など私設インターネット放送は最近その開設数が急増して個人の個性を表出する一つの文化として落ち着いている。
しかし、従来の私設インターネット音楽放送などは、単純なオーディオ音楽放送またはカメラに入力される基本的な画像をそのまま伝達する画像チャット水準の放送内容に止めている。使用者の数が増加するにしたがい、高価の専門装備または専門家がなくても、より多様なコンテンツを使って多様な要求に対応する放送内容を自ら編集して提供することができる低価のツール（ｔｏｏｌ）に対する要求が次第に増大している。
個人使用者の私設インターネット放送だけではなく学校または各種機関で提供する、より多い公衆を対象とするインターネット放送の場合にもバーチャルリアリティー技術など多様なマルチメディア効果を利用して一層質の高い放送内容を提供するためには高価の専門装備と専門人力が必要であることが現実である。
【０００３】
また、個人が動画ファイルをインターネットに公開するためには、ｆｔｐ（ｆｉｌｅ  ｔｒａｎｓｆｅｒ  ｐｒｏｔｏｃｏｌ）のようなとても難しい別途のソフトウェアを利用してメディアサーバーに接続して登録しなければならないが、これは一般人が行うのには非常にややこしくて、熟練した技術者によってだけ可能な制限的な技術行為である。
一方、急激に普及されたデジタルカメラや携帯電話カメラで撮影した動画を消費者が１ヶ所に集め保管して管理して他人に手軽く見せたい欲求は日増しに大きくなっているが、これを収容することができる機能は全くない都合である。
したがって、既に普及された有無線インターネット網を通じてＰＣ、カメラ、デジタルカメラ、各種映像キャプチャーボードなど大衆化した装置を活用して、専門人力がなくも自ら実時間生放送及び撮影した動画をビデオオンデマンドで放送を駆使して、まるで専門放送局のような形態の内容（コンテンツ）を提供することができる大衆化したツールに対する要求が切実である。
【発明の開示】
【発明が解決しようとする課題】
【０００４】
したがって、本発明は前記のような問題点を解決するためになされたもので、オンラインを基盤とする個人化及び事業化への適用が可能なチャンネル（個人メディア領域）、ライブ（インターネット生放送領域）、ＶＯＤ（音楽、映画、個人映像などストリーミング領域）のメディアポータルツール（Ｔｏｏｌ）を駆逐してワン−ストップ（ｏｎｅ−ｓｔｏｐ）でインターネットを通じて個人動画放送を提供することにその目的がある。
【課題を解決するための手段】
【０００５】
前記のような本発明の目的を達成するため、本発明の一観点によれば、ウェブサイトに接続して個人動画放送及びビデオオンデマンド（ＶＯＤ）を実時間で視聴するための使用者放送端末と；使用者端末と連動する有無線インターネットと；前記インターネットと連動して、ウェブサイトのウェブページを通じて個人動画放送、チャンネル及びビデオオンデマンド（ＶＯＤ）情報を実時間で提供するウェブサーバーと；前記ウェブサーバーと連動して実時間放送（ＬＩＶＥ）及びビデオオンデマンド（ＶＯＤ）情報を端末の環境フォーマットに変換して提供するメディアサーバーと；前記メディアサーバーと連動して実時間エンコーディングあるいは実時間で放送を選択して各種情報を伝送するための個人用放送端末と；前記放送端末と連結して動画を撮影するための映像器機と；を含むことを特徴とする、個人動画放送システムが提供される。
また、前記のような本発明の目的を達成するため、本発明のほかの観点によれば、インターネットに接続した使用者端末を利用して個人動画放送サイトに無料で会員加入する段階と；ログイン（Ｌｏｇｉｎ）及び会員認証過程を経って会員として認証される場合、インターネット放送空間である自分だけのチャンネルに移動する段階と；前記自分のチャンネルに移動した後、ライブ（Ｌｉｖｅ）放送を選択する段階と；前記ライブ放送選択後、放送用プログラムの組み込み有無を確認する段階と；前記確認結果、放送用プログラムが組み込まれている場合、ビデオ／オーディオキャプチャー装置を自動に検索してビデオ／オーディオキャプチャー装置を選択する段階と；前記選択後、題目、画質、視聴等級、リンクなどの放送基本情報を入力して放送装置準備を完了する段階と；  前記放送装置準備が完了した後、放送用固有ＵＲＬを生成しメディアサーバーに接続することで、実時間映像圧縮データ伝送によって放送を開始する段階と；を含むことを特徴とする、個人動画放送サービス方法が提供される。
【発明の効果】
【０００６】
以上のように、本発明によれば、オンラインを基盤として個人化及び事業化への適用が可能なチャンネル（個人メディア領域）、ライブ（インターネット生放送領域）、ＶＯＤ（音楽、映画、個人映像などストリーミング領域）のメディアポータルツール（Ｔｏｏｌ）を駆逐してワン−ストップ（ｏｎｅ−ｓｔｏｐ）でインターネットを通じて実時間で個人動画放送を提供することにより、次のような利点がある。
【０００７】
一つ目、個人放送者の側面において、個人化したポップアップ形式の無料チャンネルを提供することで、放送と動画関連の個人の保管及び放送欲求を満たすことができる。すなわち、１人デジタルインターネット放送局、思い出映像アルバム、コレクションアルバムなどを製作することができる。
【０００８】
二つ目、個人視聴者と企業使用者の側面において、１人デジタルインターネット放送局で作り出す特化した個人コンテンツを感想し、購買することができる。企業は新商品または企業のブランド広告のための放送局を直接運営することで、空中波放送とポータルに支払う多くの広告費を節減するととともに、自社の商品とブランドの認知度を自ら極大化させることができるＢＩＺ型放送局を運営することができる。
【０００９】
三つ目、インターネット普及率が高い大韓民国、日本、アメリカなどでは写真とテキスト中心の既存媒体が本発明によって動画に転換されるかあるいは保有中の動画コンテンツが大量で流通して消費者に伝達される非常に生産的な１人メディア市場を形成することができる。
【００１０】
四つ目、有線と無線インターネットの結合、各種携帯型個人端末機の結合、そして個人携帯端末機と無線インターネットの結合によってコンバージェンス市場が開いている現在、本発明によって消費者はこれ以上の単純な消費者ではなくメディアの生産者としての役目をすることができる。
【発明を実施するための最良の形態】
【００１１】
以下、本発明の実施例の構成及びその作用を添付図面に基づいて詳細に説明する。
図１は本発明による個人動画放送システムのブロック構成図である。
図１を参照すれば、使用者視聴端末１００；インターネット２００；ウェブサーバー３００；メディアサーバー４００；Ｈ．２６４コーデック４５０；使用者放送端末５００；及び映像器機６００から構成される。
【００１２】
使用者視聴端末１００は、ウェブサイトに接続して各種個人動画放送及びビデオオンデマンド（ＶＯＤ）を実時間で視聴するための通信端末器機で、ノートブック、ＰＣ、個人携帯情報端末（ＰＤＡ）、ＭＰ３プレーヤー（ＭＰ３  ｐｌａｙｅｒ）、ＰＭＰ（Ｐｏｒｔａｂｌｅ  ｍｕｌｔｉｍｅｄｉａ  ｐｌａｙｅｒ）など有無線インターネット接続が可能な通信端末を含む。使用者の視聴端末１００と使用者放送端末５００はメーカーのインターネット接続設定などによって同じ装置であることもできる。
インターネット２００は使用者視聴端末１００及び使用者放送端末５００とウェブサーバー３００間の通信インターフェースの役目をし、有無線ネットワークが使われることができる。既存の有線インターネット以外に、これから登場するワイブロ（Ｗｉｒｅｌｅｓｓ−Ｂｒｏａｄｂａｎｄ）とＨＳＤＰＡなどのすべての有無線インターネットを含む。
【００１３】
ウェブサーバー３００はデータベース（ＤＢ）と連動する駆動アプリケーションで、ウェブサイトのウェブページを通じて各種個人動画放送、チャンネル及びビデオオンデマンド（ＶＯＤ）情報を実時間で提供する役目をする。
メディアサーバー４００は動画メディアソリューション変換サーバーで、ウェブサーバー３００及びＨ．２６４コーデックを含む多様な動画コーデック４５０と連動して実時間放送及びビデオオンデマンド（ＶＯＤ）情報を使用者視聴端末１００の環境フォーマットに変換して提供する役目をする。
すなわち、ビデオオンデマンド（ＶＯＤ）の場合、動画メディアソリューションごとにコーデック（ＣＯＤＥＣ）が違うから、使用者放送端末５００で自分の動画をメディアサーバー４００にアップロードして実時間で再生するためのエンコーディングの役目をする。
【００１４】
本発明において、現在使用中のＨ．２６４コーデック４５０はメディアサーバー４００と連動して基本動画フォーマットを提供するためのプロトコルで、次世代放送フォーマットであるデジタルマルチメディア放送（ＤＭＢ）などとも互換が可能であり、この機種コーデックを通じて動画を送出する場合、変換後の互換も可能である。
【００１５】
個人用ＰＣを含む各種使用者放送端末機５００はメディアサーバー４００と連動して実時間エンコーディングあるいは実時間放送を選択して各種情報を伝送するための端末を示し、映像器機６００は個人用ＰＣを含む各種使用者放送端末機５００と連結されて動画（映像と音声）あるいは静止映像を撮影することができるＰＣ用カメラ、カムコーダー、デジタルカメラ、ＴＶ受信カード等のすべての動画ＩＮＰＵＴ装置などが含まれる。また、今後発売開始される両方向通信とカメラ機能が同時に可能な携帯電話、ＭＰ３Ｐ、ＰＭＰ、ＤＭＢ、ＩＰ−ＴＶなども個人放送のための放送端末５００と映像器機６００の役目を同時にすることになる。
【００１６】
前記のように構成された個人動画放送システムは、個人化及び事業化への適用が可能なチャンネル（個人メディア領域）、ライブ（インターネット放送領域）、ＶＯＤ（音楽などのストリーミング領域）のメディアポータルツール（Ｔｏｏｌ）を構築された状態で具現する。
すなわち、前記チャンネルは個人動画ＴＶブログサービス及びＢＩＺ型ブランドチャンネルサービスを提供し、前記ライブ（ＬＩＶＥ）は個人放送コミュニケーションサービス及びＴＶ中継、ライブ中継、１人放送サービスを提供することになる。前記ビデオオンデマンド（ＶＯＤ）はＢＩＺ型ＶＯＤストリーミングサービス及び音楽、映画、アダルト、アニメなどの提携サービスを提供することになる。
【００１７】
図２は本発明による個人実時間動画放送システムの実時間放送（Ｌｉｖｅ）過程を示すフローチャートである。
本発明による実時間放送は、有無線インターネット２００の使用が可能な環境で、映像器機６００と連動する使用者放送端末機５００を通じてインターネットで現場中継が可能である。
【００１８】
まず、インターネット２００に接続された使用者放送端末５００を利用して個人動画放送サイトに無料で会員加入する（Ｓ１０１）。ここで、会員加入手続は公知の技術で、ＩＤ、パスワード、住民番号、連絡先、住所などの基本的な情報が入力される。
この時、会員加入すれば、会員固有のチャンネル（個人インターネット放送空間及びチャンネル固有ＵＲＬと固有番号）が自動に生成される（Ｓ１０２）。
その後、ＩＤとパスワードを入力してログイン（Ｌｏｇｉｎ）し（Ｓ１０３）、会員認証過程を経って会員として認証される場合、インターネット放送空間である自分だけのチャンネルに移動する（Ｓ１０４）。
【００１９】
前記自分のチャンネルに移動した後（Ｓ１０５）、ライブ（Ｌｉｖｅ）放送メニューを選択する（Ｓ１０６）。これによりライブ放送の待機状態になり、使用者放送端末５００の映像器機６００が自動に検索される（Ｓ１０７）。
すなわち、放送用プログラムの組み込み有無を確認することになる（Ｓ１０８）。プログラムが組み込まれていない場合、例えばＡｃｔｉｖｅ  Ｘという放送用プログラムを組み込む（Ｓ１０９）。一方、放送用プログラムが組み込まれている場合、ビデオ／オーディオキャプチャー装置を自動に検索することになる（Ｓ１１０）。
その後、使用者が所望のビデオ／オーディオキャプチャー装置を選択する（Ｓ１１１）。すなわち、低画質あるいは高画質の映像画質を選択することになる。その後、題目、画質、視聴等級、リンクなどの放送基本情報を入力することで（Ｓ１１２）、放送開始準備を完了する（Ｓ１１３）。
前記放送開始準備が完了した後、放送用固有ＵＲＬ及び固有番号を生成し（Ｓ１１４）、メディアサーバー４００に接続することで（Ｓ１１５）、実時間映像圧縮データ伝送によって放送が始まる（Ｓ１１６）。
この時、前記データ伝送は、伝送制御プロトコル基盤の多重経路ストリームデータ伝送法を利用する。
【００２０】
図３は本発明による個人動画放送システムの実時間ビデオオンデマンド（ＶＯＤ）エンコーディング／再生過程を示すフローチャートである。
本発明における実時間ＶＯＤエンコーディング／再生の概念は、動画フォーマットにかかわらず実時間で変換させてメディアサーバー４００にアップロードするので、使用者視聴端末１００の動画再生ソフトウェアの環境が違っても再生可能になる。
まず、インターネット２００に接続した使用者放送端末５００を利用して個人動画放送サイトに無料で会員加入する（Ｓ２０１）。ここで、会員加入手続は公知の技術で、ＩＤ、パスワード、住民番号、連絡先、住所などの基本的な情報が入力される。
この時、会員加入すれば、会員固有のチャンネル（個人インターネット放送空間及びチャンネル固有ＵＲＬ及び固有番号）が自動に生成される（Ｓ２０２）。
その後、ＩＤとパスワードを入力してログイン（Ｌｏｇｉｎ）し（Ｓ２０３）、会員認証過程（Ｓ２０４）を経って会員として認証される場合、インターネット放送空間である自分だけのチャンネルに移動する（Ｓ２０５）。
前記自分のチャンネルに移動した後放送プログラムを選択し、“動画アップロード”メニューをクリックする（Ｓ２０６）。すると、動画情報がアップロード（Ｕｐｌｏａｄ）され（Ｓ２０７）、前記アップロードプログラムの組み込み有無を確認することになる（Ｓ２０８）。
【００２１】
アップロードプログラムが組み込まれていない場合、例えばＡｃｔｉｖｅ  Ｘというアップロードプログラムを自動に組み込み（Ｓ２０９）、前記プログラムが組み込まれている場合、ＰＣファイル探索器の動画を選択する（Ｓ２１０）。
すると、メディアサーバー４００では動画コーデック組み込み有無を検索することになり（Ｓ２１１）、動画コーデックが組み込まれていない場合、コーデックダウンロード及び組み込み案内を受けることになる（Ｓ２１２）。
前記動画コーデックが組み込まれている場合、動画エンコーディングし動画場面イメージを自動に指定するか、あるいは使用者を選択した後、メディアサーバー４００に接続する（Ｓ２１３ａ〜Ｓ２１４）。
その後、動画をアップロードし（Ｓ２１５）、進行が完了した後、アップロード完了を知らせることになる（Ｓ２１６）。その後、題目、内容、視聴等級、価格などの放送基本情報を入力することで登録を確認する（Ｓ２１７〜Ｓ２１８）。
前記登録が完了した後、放送用固有ＵＲＬ及び固有番号を生成し（Ｓ２１９）、メディアサーバー４００に接続することで実時間動画再生を開始する（Ｓ２２０）。
【００２２】
前記のような実時間ＶＯＤエンコーディング過程を図４に基づいてより具体的に説明すると次のようである。
図４ａに示すように、ファイル開きをクリックして動画を選択することで、開きダイアログボックスがオープンされる。図４ｂに示すように、オープンされた映像は自動に再生され、再生中、例えば“サムネイル指定”をクリックすれば、当該画面の動画場面が瞬間的にキャプチャーされて保存される。
図４ｃに示すように、使用者環境の専用フォーマットにファイルを変換し、図４ｄに示すように、メディアサーバー４００にエンコーディングされた動画ファイルとサムネイルをアップロードすることで、実時間ＶＯＤエンコーディング過程を完了する。
【００２３】
図５は本発明のＶＯＤ決済機能の実施例を示す図で、自分の動画をそれぞれ販売することができるデジタルマーケット機能を示す。
ここで、動画アップロード方法は実時間ＶＯＤエンコーディング過程と同一であるので省略する。
図５に示すＶＯＤ決済挿入機能は、まず、価格設定で所望の価格を選択する、その後、登録確認メニューをクリックする。
この時、価格が設定されたＶＯＤはリストに価格とともに有料であると表示され、有料ＶＯＤは最初２０秒間プレビューが可能になる。その後、決済された内訳は自分の“チャンネル管理”で見られることになる。
【００２４】
図６は本発明のライブスーパー視聴者アイテムを説明するための実施例を示す図である。
まず、生放送があるチャンネルをクリックする。すると、人員が制限されているというメッセージが発生する。
この時、“ライブスーパー視聴者”というアイテム購買を押した後、決済する。その後、さらに人員が制限されているチャンネルをクリックすれば、放送が見られることになる。
【産業上の利用可能性】
【００２５】
本発明は、ワン−ストップ（ｏｎｅ−ｓｔｏｐ）でインターネットを通じて個人動画放送を提供する個人動画放送システム及びサービス方法に適用可能である。
【図面の簡単な説明】
【００２６】
【図１】本発明による個人動画放送システムのブロック構成図である。
【図２】本発明による個人動画放送システムの実時間放送（Ｌｉｖｅ）過程を示すフローチャートである。
【図３】本発明による個人動画放送システムのビデオオンデマンド（ＶＯＤ）エンコーディング／再生過程を示すフローチャートである。
【図４】本発明によるＶＯＤエンコーディング過程の実施例を示す図である。
【図５】本発明によるＶＯＤ決済機能の実施例を示す図である。
【図６】本発明の実施例によるライブスーパー視聴者アイテムの購買過程を示す図である。
【符号の説明】
【００２７】
１００    使用者視聴端末
２００    インターネット
３００    ウェブサーバー
４００    メディアサーバー
４５０    Ｈ．２６４コーデック
５００    使用者放送端末
６００    映像器機
【図１】
2007043695.tif 000003
【図２】
2007043695.tif 000004
【図３】
2007043695.tif 000005
【図４】
2007043695.tif 000006
【図５】
2007043695.tif 000007
【図６】
2007043695.tif 000008